【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
車両用シートのシートクッションにリクライニング装置を介して連結されたシートバックのシートバックフレームであって、
前記車両用シートの幅方向の両端部に設けられたサイドフレームを有し、
前記サイドフレームは、
前記サイドフレームの延出方向における一端部をなし、前記延出方向と交差する断面が閉断面構造となっている閉断面構造部と、
前記延出方向において前記閉断面構造部と連続する部分をなし、前記断面が開断面構造となっている開断面構造部と、を備え、
エアバッグの力布取り付け部材を取り付けるための取付孔と、
前記車両用シートの幅方向において前記取付孔の位置から内側に窪むことにより形成された凹部と、が設けられており、
前記凹部は、前記取付孔と前記リクライニング装置との間の位置に形成されていることを特徴とするシートバックフレーム。
【請求項２】
前記車両用シートの上下方向において、前記凹部は、前記取付孔より長く形成されていることを特徴とする請求項１に記載のシートバックフレーム。
【請求項３】
前記車両用シートの前後方向において、前記凹部は、前記取付孔より長く形成されていることを特徴とする請求項１又は請求項２に記載のシートバックフレーム。
【請求項４】
前記取付孔は、前記サイドフレームの上方に設けられる上方取付孔と該上方取付孔の下方に設けられる下方取付孔との少なくとも２つの孔からなることを特徴とする請求項１乃至３のいずれか一項に記載のシートバックフレーム。
【請求項５】
前記上方取付孔は、前記閉断面構造部と前記凹部との間に設けられていることを特徴とする請求項４に記載のシートバックフレーム。
【請求項６】
前記凹部は、更に前記上方取付孔と前記下方取付孔との間の位置に形成されていることを特徴とする請求項４または５に記載のシートバックフレーム。
【請求項７】
前記凹部は、前記上方取付孔と前記下方取付孔との両方に対して、前記車両用シートの上下方向で重なる位置に設けられていることを特徴とする請求項４乃至６のいずれか一項に記載のシートバックフレーム。
【請求項８】
前記リクライニング装置は、前記凹部の外側面に取り付けられていることを特徴とする
請求項１乃至７のいずれか一項に記載のシートバックフレーム。
【請求項９】
前記凹部は、前記リクライニング装置が取り付けられている第二の凹部と、該第二の凹部の上方に設けられた第一の凹部と、からなることを特徴とする請求項１乃至８のいずれか一項に記載のシートバックフレーム。
【請求項１０】
前記第一の凹部は、前記閉断面構造部と、前記車両用シートの前後方向で重なることを特徴とする請求項９に記載のシートバックフレーム。
【請求項１１】
請求項１乃至１０のいずれか一項に記載のシートバックフレームを備えることを特徴とするシートフレーム。
【請求項１２】
請求項１１に記載のシートフレームと、
前記シートフレームに載置されたパッド材と、
前記パッド材の表面を覆う表皮材と、を備えることを特徴とする車両用シート。
【請求項１３】
前記車両用シートは、
前記シートクッションが、車体フロアに固定されたロアレールに沿ってスライド移動可能なアッパーレールに取り付けられることを特徴とする請求項１２に記載の車両用シート。
【手続補正２】
【補正対象書類名】明細書
【補正対象項目名】発明の名称
【補正方法】変更
【補正の内容】
【発明の名称】シートバックフレーム、シートフレーム及び車両用シート
【手続補正３】
【補正対象書類名】明細書
【補正対象項目名】０００６
【補正方法】変更
【補正の内容】
【０００６】
また、サイドフレームには他の部材、例えば、乗員を支持する支持部材やエアバッグの力布を取り付けるための力布取り付け部材が取り付けられることがある。サイドフレーム中に閉断面構造部と開断面構造部とを併存させる構成において上記の部材をサイドフレームに取り付ける際には、取り付け作業をスムーズに行う上で好適な位置に取り付けることが求められている。
【手続補正４】
【補正対象書類名】明細書
【補正対象項目名】０００７
【補正方法】変更
【補正の内容】
【０００７】
そこで、本発明は、上記の問題に鑑みてなされたものであり、その目的は、サイドフレーム中に閉断面構造部と開断面構造部とを適切に併存させることが可能なシートフレームを提供することにある。
また、本発明の他の目的は、閉断面構造部と開断面構造部とが適切に併存しているサイドフレームに対して、サイドフレームの間を連結する連結フレームを適切に取り付けることが可能なシートフレームを提供することにある。
また、本発明の第三の目的は、閉断面構造部と開断面構造部とが適切に併存しているサイドフレームに対して、乗員を支持する支持部材やエアバッグの力布を取り付けるための力布取り付け部材を適切に取り付けることが可能なシートフレームを提供することにある。
【手続補正５】
【補正対象書類名】明細書
【補正対象項目名】０００８
【補正方法】変更
【補正の内容】
【０００８】
前記課題は、本発明のシートバックフレームによれば、車両用シートのシートクッションにリクライニング装置を介して連結されたシートバックのシートバックフレームであって、前記車両用シートの幅方向の両端部に設けられたサイドフレームを有し、前記サイドフレームは、前記サイドフレームの延出方向における一端部をなし、前記延出方向と交差する断面が閉断面構造となっている閉断面構造部と、前記延出方向において前記閉断面構造部と連続する部分をなし、前記断面が開断面構造となっている開断面構造部と、を備え、エアバッグの力布取り付け部材を取り付けるための取付孔と、前記車両用シートの幅方向において前記取付孔の位置から内側に窪むことにより形成された凹部と、が設けられており、前記凹部は、前記取付孔と前記リクライニング装置との間の位置に形成されていることにより解決される。
【手続補正６】
【補正対象書類名】明細書
【補正対象項目名】０００９
【補正方法】変更
【補正の内容】
【０００９】
以上のように構成された本発明のシートフレームでは、閉断面構造部と開断面構造部がサイドフレームに併存している。
【手続補正７】
【補正対象書類名】明細書
【補正対象項目名】００１０
【補正方法】変更
【補正の内容】
【００１０】
また、上記のシートバックフレームにおいて、前記車両用シートの上下方向において、前記凹部は、前記取付孔より長く形成されているとよい。
【手続補正８】
【補正対象書類名】明細書
【補正対象項目名】００１１
【補正方法】変更
【補正の内容】
【００１１】
また、上記のシートバックフレームにおいて、前記車両用シートの前後方向において、前記凹部は、前記取付孔より長く形成されているとよい。
【手続補正９】
【補正対象書類名】明細書
【補正対象項目名】００１２
【補正方法】変更
【補正の内容】
【００１２】
また、上記のシートバックフレームにおいて、前記取付孔は、前記サイドフレームの上方に設けられる上方取付孔と該上方取付孔の下方に設けられる下方取付孔との少なくとも２つの孔からなるとよい。
【手続補正１０】
【補正対象書類名】明細書
【補正対象項目名】００１３
【補正方法】変更
【補正の内容】
【００１３】
また、上記のシートバックフレームにおいて、前記上方取付孔は、前記閉断面構造部と前記凹部との間に設けられているとよい。
【手続補正１１】
【補正対象書類名】明細書
【補正対象項目名】００１４
【補正方法】変更
【補正の内容】
【００１４】
また、上記のシートバックフレームにおいて、前記凹部は、更に前記上方取付孔と前記下方取付孔との間の位置に形成されているとよい。
【手続補正１２】
【補正対象書類名】明細書
【補正対象項目名】００１５
【補正方法】変更
【補正の内容】
【００１５】
また、上記のシートバックフレームにおいて、前記凹部は、前記上方取付孔と前記下方取付孔の両方と、前記車両用シートの上下方向で重なる位置に設けられているとよい。
【手続補正１３】
【補正対象書類名】明細書
【補正対象項目名】００１６
【補正方法】変更
【補正の内容】
【００１６】
また、上記のシートバックフレームにおいて、前記リクライニング装置は、前記凹部の外側面に取り付けられているとよい。
【手続補正１４】
【補正対象書類名】明細書
【補正対象項目名】００１７
【補正方法】変更
【補正の内容】
【００１７】
また、上記のシートバックフレームにおいて、前記凹部は、前記リクライニング装置が取り付けられている第二の凹部と、該第二の凹部の上方に設けられた第一の凹部と、からなるとよい。
【手続補正１５】
【補正対象書類名】明細書
【補正対象項目名】００１８
【補正方法】変更
【補正の内容】
【００１８】
また、上記のシートバックフレームにおいて、前記第一の凹部は、前記閉断面構造部と、前記車両用シートの前後方向で重なるとよい。
【手続補正１６】
【補正対象書類名】明細書
【補正対象項目名】００１９
【補正方法】変更
【補正の内容】
【００１９】
また、前記課題は、本発明のシートフレームによれば、上記のシートバックフレームを備えることを特徴とするシートフレームにより解決される。
【手続補正１７】
【補正対象書類名】明細書
【補正対象項目名】００２０
【補正方法】変更
【補正の内容】
【００２０】
また、前記課題は、本発明の車両用シートによれば、上記のシートフレームと、前記シートフレームに載置されたパッド材と、前記パッド材の表面を覆う表皮材と、を備えることを特徴とする車両用シートにより解決される。
また、上記の車両用シートにおいて、前記シートクッションが、車体フロアに固定されたロアレールに沿ってスライド移動可能なアッパーレールに取付けられるとよい。
【手続補正１８】
【補正対象書類名】明細書
【補正対象項目名】００８４
【補正方法】変更
【補正の内容】
【００８４】
＜＜サイドフレームにおける力布取り付けクリップの取り付け位置について＞＞
本実施形態に係るシートバックフレームＦ１において、車両のドアにより近い方のサイドフレーム１０には、図１０に図示の力布取り付けクリップ７０が取り付けられている。この力布取り付けクリップ７０は、力布取り付け部材に相当し、不図示であるエアバッグの力布を取り付けるための部品である。一方、サイドフレーム１０のうち、アウタパーツ１１の側壁部１３には、力布取り付けクリップ７０を差し込むための矩形状の差し込み穴１３ｙ、１３ｚが形成されている。そして、図１０に示すように差し込み穴１３ｙ、１３ｚに力布取り付けクリップ７０の一部が差し込まれることで、力布取り付けクリップ７０がサイドフレーム１０に対して取り付けられている。